(57)【特許請求の範囲】
【請求項１】
回路基板と、
この回路基板に装着される駆動装置と、
この駆動装置の回転軸によって軸回り駆動される指針と、
この指針の背後に配置されるパネル体と、
このパネル体と前記回路基板との間に配置される枠体と、
少なくとも前記指針の動作範囲に対応する前記パネル体の前面側領域を取り巻くように配置されるリング状部材と、
前記回路基板に設けられると共に前記パネル体の背後に配置される光源とを備え、
前記パネル体が前記指針と前記回転軸との連結を可能とする貫通孔を有しこの貫通孔の周縁から外側に向けて延びる第１の板面部と、この第１の板面部を取り巻いて回路基板側に屈曲して延びると共に前記リング状部材に対応した立ち壁部からなる第２の板面部とを有し、
この第２の板面部に前記パネル体に前記光源からの光を前記リング状部材側に通過させ前記リング状部材を照明する照射部を設け、
前記枠体に、前記光源からの光を回転軸を中心とした外周方向に反射する第1の反射部とこの第１の反射部を通じて反射された光を前記パネル体側に反射する第２の反射部とでなり、前記光源からの光を前記照射部に導く照明室を形成したことを特徴とする計器装置。
【請求項２】
前記照射部に光拡散部を形成したことを特徴とする請求項１記載の計器装置。
【請求項３】
前記リング状部材の表面が金属色調に形成されることを特徴とする請求項１または請求項２記載の計器装置。
【請求項４】
前記リング状部材に前記照射部に対応する傾斜面を設けたことを特徴とする請求項１から請求項３のうち何れか一つに記載の計器装置。
【請求項５】
前記パネル体が前記指針に対応した透光性の計測値表示部を有する目盛板からなり、少なくともこの計測値表示部と前記リング状部材とを共通の前記光源にて照明することを特徴とする請求項１から請求項４のうち何れか一つに記載の計器装置。
【発明の詳細な説明】
【０００１】
【発明の属する技術分野】
本発明は、例えばオートバイや自動車をはじめとする各種移動体に搭載される計器装置に関し、詳しくはその照明構造に係わるものである。
【０００２】
【従来の技術】
各種車両等の移動体に搭載される計器装置は、回路基板に回転軸を突設した計器本体を装着し、回転軸の先端に指針を装着し、この指針の背後に、指針に対応した計測値表示部を有する目盛板からなるパネル体を配置し、このパネル体の背後に配置した光源により、計測値表示部や指針を透過（バックライト）照明する構造が一般的である。
【０００３】
この種の計器装置は、通常、複数種の計測値の指針式表示を可能とするため、複数の計器本体にて駆動される複数の指針とこれら各指針に応じた複数の計測値表示部とでなる複数種の指針式表示部、例えば速度計，回転計，水温計，燃料計からなる指針式表示部を有し、これら複数種の指針式表示部を照明する際、その視認性、識別性、デザイン性等を向上させる目的から、各指針式表示部に指針の回転軌道に対応したリング状発光部を設けるものが例えば特開平１０−２０７４０８号公報にて知られている。
【０００４】
当該公報に開示のものは、透光性材料からなるリング状部材に光を導入して円弧状に発光させるもので、発光意匠自体をシャープ（明確）に表現できる点では優れるものの、透過光によるリング発光では、表現し得る発光意匠に限界があり、例えばリング状部材自体の質感やその造形感を表現するのが困難である。
【０００５】
一方、例えば実開平３−９００１８号公報には、パネル体の前方に配置した光源からの光にて、指針や目盛と合わせてリング状部材をフロントライト照明する構造が示されており、この構造によれば、リング状部材の表面からの反射光により発光意匠が形成されるため、リング状部材自体の質感やその造形感を表現するのが容易で、表現し得る発光意匠の自由度が大きい。
【０００６】
【発明が解決しようとする課題】
しかしながら、前掲実開平３−９００１８号公報では、指針、パネル体（目盛）、リング状部材を含む広い表示範囲を一様にフロントライト照明する構造であるため、表示範囲とこれら表示範囲の前方に配置される光源との間に空間を空ける必要があり、装置が大型化しやすく、しかも光源配置の都合上等から、部品点数が増加しやすい。またリング状部材以外の比較的広い表示範囲を一様に照明する構造であることから、リング状部材を採用しているにも係わらず、それを際だたせることができず、リング状部材の意匠効果を十分に引き出すことができない。
本発明はこの点に鑑みてなされたものであり、その主な目的は、表現し得る発光意匠の自由度が大きく、しかも小型化を達成し得る計器装置を提供するものである。
【０００７】
【課題を解決するための手段】
本発明は前記目的を達成するため、回路基板と、この回路基板に装着される駆動装置と、この駆動装置の回転軸によって軸回り駆動される指針と、この指針の背後に配置されるパネル体と、このパネル体と前記回路基板との間に配置される枠体と、少なくとも前記指針の動作範囲に対応する前記パネル体の前面側領域を取り巻くように配置されるリング状部材と、前記回路基板に設けられると共に前記パネル体の背後に配置される光源とを備え、前記パネル体が前記指針と前記回転軸との連結を可能とする貫通孔を有しこの貫通孔の周縁から外側に向けて延びる第１の板面部と、この第１の板面部を取り巻いて回路基板側に屈曲して延びると共に前記リング状部材に対応した立ち壁部からなる第２の板面部とを有し、この第２の板面部に前記パネル体に前記光源からの光を前記リング状部材側に通過させ前記リング状部材を照明する照射部を設け、前記枠体に、前記光源からの光を回転軸を中心とした外周方向に反射する第１の反射部とこの第１の反射部を通じて反射された光を前記パネル体側に反射する第２の反射部とでなり、前記光源からの光を前記照射部に導く照明室を形成したことを特徴とする。
【０００９】
また本発明は、前記照射部に光拡散部を形成したことを特徴とする。
【００１０】
また本発明は、前記リング状部材の表面が金属色調に形成されることを特徴とする。
【００１１】
また本発明は、前記リング状部材に前記照射部に対応する傾斜面を設けたことを特徴とする。
【００１２】
また本発明は、前記パネル体が前記指針に対応した透光性の計測値表示部を有する目盛板からなり、少なくともこの計測値表示部と前記リング状部材とを共通の前記光源にて照明することを特徴とする。
【００１３】
【発明の実施の形態】
本発明による計器装置は、所定の駆動装置から突出する回転軸によって軸回り駆動される指針と、この指針に対応した例えば目盛や文字からなる計測値表示部を有する目盛板またはこの目盛板と指針を含む所定領域以外を隠蔽する見返し板（パネル材）からなるパネル体と、このパネル体の前方側であって少なくとも指針の動作範囲に対応するパネル体領域を取り巻くように配置されるリング状部材と、パネル体の背後に配置される光源とを備えており、パネル体には光源からの光をリング状部材側に通過させてリング状部材を照明する照射部を設けたもので、リング状部材は照射部からの光を反射することによりリング状に発光するものである。
このように照射部を通じてパネル体の背後から前方側へと光を通過させ、その通過した光がリング状部材の表面に当たることでリング状部材を反射照明することにより、透過光による発光方式と比べ表現し得る発光意匠の自由度を高めることができ、例えば透過光による発光方式では困難であったリング状部材自体の質感や造形感を容易に表現することができる。
またフロントライト照明方式のように、パネル体の前方に光源を配置する必要がないため、装置の小型化、簡素化を達成することができる。また照射部を通じてリング状部材が集中的に照明されるため、リング状部材を際だたせた照明意匠を形成でき、リング状部材の色調や質感表現と相まって斬新でインパクトのある見栄えを実現でき、商品性を高めることができる。
【００１４】
光源からの光を通過させる照射部は、パネル体の背後に配置された光源からの光を前方側に通過させてリング状部材を照らすことができれば、その構造は任意である。例えばパネル体にリング状部材に対応して部分的に隆起する立ち壁部を形成し、この立ち壁部に照射部を設ければ、パネル体の構造を工夫するだけで照射部を形成でき、構成をシンプルにできる。またパネル体を例えば複数の目盛板または見返し板、もしくは目盛板と見返し板とに分割形成し、これら複数のパネル体間に光源からの光を通過させる空間部を設ければ、この空間部を照射部として機能させることができ、この構造によれば、パネル体の構造をシンプルにすることができる。
【００１５】
またこのような照射部は、リング状部材の内周側または外周側の少なくとも一方側に設ければよいが、照射部にシボ加工や光拡散印刷層、光拡散フィルム、光拡散板等からなる光拡散部を設ければ、光拡散部を通じた拡散光でリング状部材が照明されるため、照明の均一化に有利である。
【００１６】
リング状部材は、パネル体の前方側であって、少なくとも指針の回転動作範囲を連続的に取り巻くリング状構造体であればよく、その表面に例えば金属色調、カーボン調、ヘアライン調等の所定の質感あるいは装飾を有するものや、所定のデザイン造形を有するものが好ましいが、照射部からの光によって発光意匠を形成することができれば、任意のリング状部材を使用することができる。
【００１７】
またリング状部材の照射部に対応する位置に、照射部からの光を前方側に反射する傾斜面を設けると、リング状部材を通じた光反射を良好となすことができる。
【００１８】
またパネル体が指針に対応した透光性の計測値表示部を有する目盛板からなる場合、少なくともこの計測値表示部とリング状部材とを共通の光源にて照明するように構成すると、光源の数を削減でき、コストダウンを達成することができる。
【００１９】
【実施例】
以下、添付図面に基づき、本発明による計器装置の実施例を説明する。
【００２０】
図１及び図２は、本発明の実施例を示し、図１は計器装置の外観を示す正面図、図２は図１のＡ−Ａ線に沿った部分断面図である。
【００２１】
図１及び図２において、本実施例による計器装置は、回路基板１と、回転軸２が前方に延びる計器本体３と、回転軸２にて回転駆動される指針４と、この指針４の背後に位置する目盛板（パネル体）５と、この目盛板５の前方側に配置されたリング状部材６と、指針４、目盛板５、リング状部材６を含む前方側を露出するパネル材からなる見返し板（パネル体）７と、回路基板１に設けられた光源８と、目盛板５と回路基板１との間に配置される枠体９とから構成される。
【００２２】
回路基板１は、例えばガラスエポキシ系基材に配線パターン（図示せず）を施した硬質回路基板からなり、光源８と、例えば計器本体３の駆動・制御を行う駆動手段（図示せず）や例えば抵抗、コンデンサ等の各種回路部品（図示せず）が前記配線パターンに導通接続されている。
【００２３】
計器本体３は、可動磁石式計器またはステッピングモータからなり、回転軸２が回路基板１を貫通するように、その主要部が回路基板１の背後に装着され、且つ半田付け等の適宜導通手段により前記配線パターン（前記駆動手段）に電気接続される。
【００２４】
指針４は、透光性の合成樹脂からなり、回転軸２の先端に連結され、その回転中心部には遮光性カバーが装着されている。そしてこの指針４は光源８からの光を受けて発光する発光式指針である。
【００２５】
目盛板５は、回転軸２と指針４との連結を可能とする貫通孔５１と、指針４先端部の回動軌道に沿って複数配列される文字部５２ａ及び目盛部５２ｂでなる計測値表示部５２と、これら計測値表示部５２の背景となる地色部５３と、光源８側となる背面に設けられる反射層（図示しない）を有し、計測値表示部５２は、文字部５２ａの外側に目盛部５２が位置するように各々が指針４の回転動作に応じた円弧状の配列形状を有して複数個配置されている。
【００２６】
これら計測値表示部５２、地色部５３、前記反射層は、目盛板５のベース材となる基板５４に形成された印刷層からなり、計測値表示部５２が適宜色を有する透光性インクにより、地色部５３及び前記反射層が遮光性インクにより、それぞれ印刷形成され、遮光性を有する地色部５３は、透光性を有する計測値表示部５２に対応する箇所を除く所定領域であって基板５４の前面側に一様に設けられ、また前記反射層は光反射性の高い白色の色調を有すると共に、地色部５３に対応した基板５４の背面領域に一様に設けられている。
【００２７】
目盛板５はまた、図２に示した断面形状において、前方に突出する略凸形状に形成され、回転軸２付近となる貫通孔５１の周縁から外側に向けて延びる第１の板面部５５と、この第１の板面部５５を取り巻いて背後（枠体９または回路基板１側）に屈曲して延びる第２の板面部（立ち壁部）５６と、この第２の板面部５６から外周に向けて第１の板面部５４と略平行に延びる第３の板面部５７とを有し、計測値表示部５２、地色部５３、前記反射層を形成した平板状の基板５４を熱変形させて段部を設ける絞り加工、または予め段部を形成しておいた基板５４に計測値表示部５２、地色部５３、前記反射層の箔を転写する箔成形により形成することができる。
【００２８】
第１の板面部５５は、指針４の延長方向に沿って平面形状を有し、この部分に文字部５２ａが配置される。
【００２９】
第２の板面部５６は、第１の板面部５５に対し所定角度、本実施例では略９０度背後に折れ曲がる立ち壁部に形成され、リング状部材６の後述する内周側面に対向しており、この立ち壁部からなる第２の板面部５６には、地色部５３及び前記反射層が部分的に除去（抜き形成）され、光源８からの光をリング状部材６の内周面に通過（透過）させることを可能とする透光性の照射部５８が形成されている。
【００３０】
この照射部５８にはこの部分から外側に照射される光を拡散する光拡散部５８ａが形成され、この場合、光拡散部５８ａは、表面に微細な凹凸を有する光拡散印刷層から設けられており、この光拡散印刷層は、詳しくは図示しないが、地色部５３を覆うオーバーコート層として計測値表示部５２を除く目盛板５の略全体に設けられている。
【００３１】
第３の板面部５７には、目盛部５２ｂが配置され、さらにその外周縁前方側にリング状部材６が配置されている。
【００３２】
そして計測値表示部５２は、指針４と組み合わされて指針式表示部Ｄを構成するが、本実施例の場合、指針式表示部Ｄは、計測表示対象に応じて複数（図１中、左から燃料計表示部、回転計表示部、速度計表示部、水温計表示部）設けられている。
【００３３】
リング状部材６は、遮光性合成樹脂からなる成型部６１と、この成形部６１の表面所要部に施された金属色調（例えばシルバー色調）の樹脂メッキ層または蒸着層からなる表面被膜６２とを有しており、その断面形状は、図２に示すように、目盛板５側が幅広で目盛板５とは反対側（先端側）が幅狭となる先細り形状に形成され、照射部５８に対向するリング状部材６箇所は、第２の板面部５６に対して所定角度傾斜する傾斜面６３に設定されている。
【００３４】
見返し板７は、リング状部材６の一部とこれに囲まれた指針式表示部Ｄを露出し、それ以外の所要領域を隠蔽するもので、リング状部材６に対応する箇所に開口部７１を備えている。
【００３５】
光源８は、回転軸２の周囲に複数個、集中的に配置された例えば表面実装型の発光ダイオードからなり、これら複数の光源８のうち、回転軸２を挟んで隣接する光源８１は、指針４を照明するもので、これら光源８１の外側に位置する光源８２は、目盛板５の計測値表示部５２とリング状部材６とを照明するものである。
【００３６】
枠体９は、例えば白色系の合成樹脂よりなり、目盛板５と回路基板１との間に位置して目盛板５を支持するケース体である。この枠体９には、光源８１を収納しその光を指針４に導く筒部９１と、この筒部９１の外周より光源８２に対向するように外周方向に延び、光源８２からの光を回転軸２を中心とした外周方向に反射する第１の反射部９２と、この第１の反射部９２を通じて反射された光を目盛板５側に反射する第２の反射部９３とを有し、これら反射部９２，９３は、光源８２からの光を計測値表示部５２と照射部５８に導く照明室を形成している。
【００３７】
この際、目盛板５の前記反射層は、この前記反射層により光を前記照明室内に再反射させ、照明効率を高める機能を有している。なお本実施例では図２にて回転計表示部からなる指針式表示部Ｄを構成する計器部分の断面図のみを示したが、これに隣接する速度計表示部からなる指針式表示部Ｄを有する計器も回転計表示部からなる指針式表示部Ｄを構成する計器と同様の構成を有している。
【００３８】
このような構成において、光源８１が発光すると、その光は筒部９１を通じて指針４が照明され、指針４が線状に光輝する。一方、光源８２から発せられた光は、前記照明室を通じて反射・拡散され、目盛板５の計測値表示部５２を照明すると共に、その光の一部は照射部５８を通過して目盛板５の前方側に放射され、その放射光がリング状部材６（この場合、特に傾斜面５９ａ）を照らす。これにより指針式表示部Ｄの周囲でリング状部材６が金属調を帯びて環状に発光する。
【００３９】
以上のように、本実施例では、駆動装置３の回転軸２によって軸回り駆動される指針４と、この指針４の背後に配置される目盛板５と、この目盛板５の前方側にその所定領域を取り巻くように配置されるリング状部材６と、パネル体５の背後に配置される光源８（８２）とを備えており、目盛板５に光源８からの光をリング状部材６側に通過させてその表面を照明する照射部５８を設けたことにより、照射部５８から照射される光でリング状部材６の表面を反射照明することができ、これにより透過光による発光方式では困難であったリング状部材６自体の質感（本実施例では金属調）を表現することができ、表現し得る発光意匠の自由度を高めることができる。また照射部５８を通過した光にてリング状部材６を照明する構成であるため、目盛板５の前方に光源を配置する必要がなく、装置の小型化、簡素化を達成することができる。また照射部５８を通じてリング状部材６が集中的に照明されるため、リング状部材６が際だつ照明意匠を形成でき、リング状部材６の色調や質感表現と相まって斬新でインパクトのある見栄えを実現でき、商品性を高めることができる。
【００４０】
また本実施例では、目盛板５にリング状部材６に対応して、前方側に隆起する第２の板面部（立ち壁部）５６を形成し、この第２の板面部５６に照射部５８を設けたことにより、目盛板５の構造を工夫するだけで照射部５８を形成でき、構成をシンプルにすることができる。
【００４１】
また本実施例では、照射部５８に光拡散部５８ａを設けたことにより、リング状部材６の照明を均一化することができる。
【００４２】
また本実施例では、リング状部材６の照射部５８に対応する位置に、照射部５８からの光を前方側に反射する傾斜面６３を設けたことにより、リング状部材６を通じた光反射を良好となすことができる。
【００４３】
また本実施例では、目盛板５が指針４に対応した透光性の計測値表示部５２を有する目盛板５からなり、計測値表示部５２とリング状部材６とを共通の光源にて照明するように構成したことにより、光源の数を削減でき、コストダウンを達成することができる。
【００４４】
図３は、本発明の第２の実施例を示す断面図であり、本実施例では、見返し板７に形成した凹部７１にリング状部材６を配置すると共に、この凹部７１の前方側に所定の空間を隔てて略フラットな目盛板５を配置し、この目盛板５と見返し板７との間に形成された空間部（放射部）５８０から光源８の光を通過させ、その通過させた光によってリング状部材６の内周側をリング状に発光させるもので、本実施例でも前記第１の実施例と同様な効果を期待でき、しかも目盛板５や見返し板７の構造をシンプルにすることができる。
【００４５】
図４は、本発明の第３の実施例を示す断面図であり、本実施例では、見返し板７を凹状に窪ませて側壁部（立ち壁部）７２を形成し、この側壁部７２にリング状部材６の外周部に対応する開口部（照射部）７８０を設け、この開口部７８０に光源８との間に導光体１０を配置し、光源８の光を導光体１０通じて開口部７８０に導き、この開口部７８０よりリング状部材６に照射し、リング状部材６を発光させるもので、本実施例でも前記第１の実施例と同様な効果を期待できる。
【００４６】
【発明の効果】
以上詳述したように、本発明は、回路基板と、この回路基板に装着される駆動装置と、この駆動装置の回転軸によって軸回り駆動される指針と、この指針の背後に配置されるパネル体と、このパネル体と前記回路基板との間に配置される枠体と、少なくとも前記指針の動作範囲に対応する前記パネル体の前面側領域を取り巻くように配置されるリング状部材と、前記回路基板に設けられると共に前記パネル体の背後に配置される光源とを備え、前記パネル体が前記指針と前記回転軸との連結を可能とする貫通孔を有しこの貫通孔の周縁から外側に向けて延びる第１の板面部と、この第１の板面部を取り巻いて回路基板側に屈曲して延びると共に前記リング状部材に対応した立ち壁部からなる第２の板面部とを有し、この第２の板面部に前記パネル体に前記光源からの光を前記リング状部材側に通過させ前記リング状部材を照明する照射部を設け、前記枠体に、前記光源からの光を回転軸を中心とした外周方向に反射する第１の反射部と前記この第１の反射部を通じて反射された光を前記パネル体側に反射する第２の反射部とでなり、前記光源からの光を前記照射部に導く照明室を形成したことにより、表現し得る発光意匠の自由度が大きく、しかも小型化を達成し得る計器装置を提供することができる。
【図面の簡単な説明】
【図１】本発明の実施例による計器装置の正面図。
【図２】図１のＡ−Ａ線に沿った部分断面図。
【図３】本発明の第２の実施例を示す部分断面図である。
【図４】本発明の第３の実施例を示す部分断面図である。
【符号の説明】
１  回路基板
２  回転軸
３  計器本体
４  指針
５  目盛板
６  リング状部材
７  見返し板
８（８１，８２）  光源
９  枠体
１０  導光体
５１  貫通孔
５２  計測値表示部
５２ａ  文字部
５２ｂ  目盛部
５３  地色部
５４  基板
５５  第１の板面部
５６  第２の板面部（立ち壁部）
５７  第３の板面部
５８  照射部
６１  成形部
６２  表面皮膜
６３  傾斜部
７１  凹部
７２  側壁部（立ち壁部）
９１  筒部
９２，９３  第１，第２の反射部
５８０  空間部（照射部）
７８０  開口部（照射部）
Ｄ  指針式表示部
【図１】
0004221693.tif 000002
【図２】
0004221693.tif 000003
【図３】
0004221693.tif 000004
【図４】
0004221693.tif 000005